(57)【要約】      （修正有）【課題】簡易な構造で、かつ、高速回転時のディスク面ぶれを低減し、光ディスクにおける記録再生の安定性を図る。【解決手段】光ディスク記録再生装置１００は、光ディスクＤを固定する固定部材１１０と、固定部材１１０ととともに光ディスクＤを回転させるためのシャフト１２０と、スタビライザ１３０と、スタビライザ１３０と固定された光ディスクＤとの間に所定のスペースを形成させるためのスペーサと、を有している。また、このスタビライザ１３０は、光ディスクＤとの間に形成された隙間に空気を流入するため複数の流入孔１３１と、流入孔１３１より隙間に流入された空気を外部に逃がすための複数の排出孔１３２と、シャフト１２０に固定するためのシャフト孔と、を有している。【選択図】図１
2011003225.tif 000002
【特許請求の範囲】
【請求項１】
可撓性を有する光ディスクを回転可能に固定する固定手段と、
空気の流体力を利用して前記光ディスクの回転時の面ブレを低減するスタビライザであって、前記光ディスクとの厚さ方向の間に隙間を有するスタビライザと、
を備え、
前記スタビライザが、
前記隙間に空気を流入するため複数の流入孔と、
前記流入した空気を前記隙間から排出するための複数の排出孔と、
を有し、
前記流入孔と前記排出孔が前記スタビライザの異なる円周上に設けられていることを特徴とする光ディスク回転制御装置。
【請求項２】
請求項１に記載の光ディスク回転制御装置において、
前記スタビライザが固定されており、
前記複数の流入孔が、前記スタビライザが固定されている固定部分の近傍の円周上に等間隔にて設けられているとともに、前記複数の排出孔が、前記流入孔が設けられた円周と前記光ディスクの外周との間の中間付近の円周上に等間隔に設けられていることを特徴とする光ディスク回転制御装置。
【請求項３】
請求項２に記載の光ディスク回転制御装置において、
前記流入孔のピッチ角度が、前記排出孔のピッチ角度と等しいことを特徴とする光ディスク回転制御装置。
【請求項４】
請求項１に記載の光ディスク回転制御装置において、
前記固定手段が、前記光ディスクととともに前記スタビライザを共回転可能に固定していることを特徴とする光ディスク回転制御装置。
【請求項５】
請求項１に記載の光ディスク回転制御装置において、
前記固定手段が、前記スタビライザを回転不能に固定していることを特徴とする光ディスク回転制御装置。
【請求項６】
請求項１から５に記載の光ディスク回転装置において、
前記スタビライザが、ディスク形状を有することを特徴とする光ディスク回転制御装置。
【請求項７】
請求項１から６に記載の光ディスク回転装置において、
前記光ディスクの厚みが０より大きくかつ０．３ｍｍ以下であることを特徴とする光ディスク回転制御装置。
【請求項８】
請求項１から７に記載の光ディスク回転装置を備える光ディスク記録装置。
【請求項９】
請求項１から７に記載の光ディスク回転装置を備える光ディスク再生装置。
【請求項１０】
光ディスクの回転を安定させるために用いられるとともに、空気の流体力を利用して当該光ディスクの回転時の面ブレを低減するスタビライザであって、
前記光ディスクとの厚さ方向の間に形成された隙間に空気を流入するため複数の流入孔
と、
前記流入した空気を前記隙間から排出するための複数の排出孔と、
を備え、
前記流入孔と前記排出孔が異なる円周上に設けられていることを特徴とするスタビライザ。
【発明の詳細な説明】
【技術分野】
【０００１】
本発明は、光ディスクの回転制御装置に関し、特に、簡易な構造で、かつ、高速回転時のディスクの面ぶれを低減し、光ディスクにおけるデータの記録再生の安定性を図るスタビライザに関する。
【背景技術】
【０００２】
近年、情報のデジタル化の進行に伴い、情報量の増大が進んでいる。光ディスクの分野においても、その大量の情報が記録できるように、現状のブルーレイディスクよりも、さらに大容量の情報を記録することができる次世代光ディスクの開発が進んでいる。特に、アーカイブストレージの分野において、厚さが０．１ｍｍ程度の光ディスクを大量に積層することによって、単位体積当たりの記録容量の増大を図る光ディスク記録再生装置が注目されている。
【０００３】
このような光ディスクにおいては、回転時における面ブレやチルトが非常に大きくなるので、その面ブレやチルトを低減し、安定した記録再生を実現する機構を、光ディスクに対してデータの記録再生を行う記録再生装置に設ける必要がある。
【０００４】
例えば、特許文献１には、光ディスク記録再生装置に光ディスクの安定的な回転を実行するためのスタビライザの一例が記載されている。この特許文献１に記載のスタビライザ１は、図２３に示すように、ディスク状にて形成され、中心に近い位置に、周方向に等間隔にて設置された複数の貫通孔４を有している。また、このスタビライザ１は、光ディスクＤとともに、スペーサ３を介してシャフト２に固定され、このスペーサ３により、光ディスクＤとの間に一定の隙間を有している。
【０００５】
このような構成を有しているため、スタビライザ１と光ディスクＤとが共回転したとき、空気が貫通孔４から流入し、かつ、スタビライザ１と光ディスクＤの隙間部分を外周方向に流れるようになっているおり、空気流によるベルヌーイ力と、光ディスクＤの重力や弾性力と、によって当該光ディスクＤが変形する一方で、これらの力が釣り合う位置にてその形状が安定するようになっている。したがって、このようなスタビライザを有する光ディスク記録再生装置は、高速回転時のディスクの面ぶれを低減し、光ディスクＤにおけるデータの記録再生の安定性を図ることができるようになっている。なお、図２３は、スタビライザの上面図と、スタビライザと光ディスクを実装した場合の断面図である。
【０００６】
また、非特許文献１には、特許文献１と異なるスタビライザが記載されている。この非特許文献１に記載のスタビライザ５は、図２４に示すように、１０００ｍｍ程度の半径にて凹面状にて形成されている。特に、このスタビライザ５の内径は、光ディスクＤのシャフト６の外径よりもやや大きく設定されており、このスタビライザ５は、光ディスクＤがスタビライザ５の曲面側にシャフト６に固定されるように形成されている。そして、このスタビライザ５は、光ディスクＤとの間に、一定の隙間を有している。
【０００７】
このような構成を有しているため、光ディスクＤが回転したとき、スタビライザ５は固定される一方、スタビライザ５とシャフト６の隙間から空気が流入し、スタビライザ５と光ディスクＤの隙間部分を外周方向に流れるので、空気流によるベルヌーイ力と、光ディスクＤの重力や弾性力と、によって光ディスクＤが変形する一方で、これらの力が釣り合う位置にてその形状が安定するようになっている。したがって、このようなスタビライザを有する光ディスク記録再生装置は、上述と同様に、高速回転時のディスクの面ぶれを低減し、光ディスクＤにおけるデータの記録再生の安定性を図ることができるようになっている。なお、図２４は、スタビライザ５と光ディスクＤを実装した場合の上面図と断面図である。
【先行技術文献】
【特許文献】
【０００８】
【特許文献１】特開２００７−１２２０４
【非特許文献】
【０００９】
【非特許文献１】Y.  Sugimoto  et  al  ISOM/ODS  2008  TD04-149
【発明の概要】
【発明が解決しようとする課題】
【００１０】
しかしながら、特許文献１に記載されているスタビライザであっては、例えば、１００００ｒｐｍ以上の高速回転では、光ディスクの面ぶれが大きくなってしまい、安定して情報の記録再生を行うことができなくなる。
【００１１】
また、非特許文献１に記載されているスタビライザであっては、形状を凹面状にしたことによって１５０００ｒｐｍの回転数以下であれば、安定して情報の記録再生を行うことができる。しかしながら、このスタビライザは、光ディスク側にその面が湾曲しているため、それ以上の高速回転時には、当該スタビライザ自体が光ディスクに接触する可能性があり、その場合には、安定した情報の記録再生を行うことができない。さらに、この非特許文献１に記載のスタビライザであっては、スタビライザの曲面部分に高い加工精度を必要とするとともに、当該スタビライザの肉厚が厚くなるので、光ディスク用のドライブへの実際の実装には困難が伴ってしまう。
【００１２】
本発明は、上記課題を解決するためになされたものであり、その目的は、簡易な構造で、かつ、高速回転時のディスク面ぶれを低減し、光ディスクにおける記録再生の安定性を図る光ディスク記録再生装置およびスタビライザ等を提供することにある。
【課題を解決するための手段】
【００１３】
上記課題を解決するための本発明の光ディスク回転制御装置は、可撓性を有する光ディスクを装着する装着手段と、空気の流体力を利用して、前記光ディスクの全面にわたり回転時の面ブレを低減するスタビライザであって、前記光ディスクとの厚さ方向の間に隙間を設けて配置されるスタビライザと、を備え、前記スタビライザが、前記隙間に空気を流入するため複数の流入孔と、前記流入した空気を前記隙間から排出するための複数の排出孔と、を有し、前記流入孔と前記排出孔が前記スタビライザの異なる円周上に設けられている構成を有している。
【００１４】
また、本発明のスタビライザは、光ディスクの回転を安定させるために用いられるとともに、空気の流体力を利用して当該光ディスクの回転時の面ブレを低減するスタビライザであって、前記光ディスクとの厚さ方向の間に形成された隙間に空気を流入するため複数の流入孔
と、前記流入した空気を前記隙間から排出するための複数の排出孔と、を備え、前記流入孔と前記排出孔が異なる円周上に設けられている構成を有している。
【発明の効果】
【００１５】
本発明の光ディスク回転制御装置は、スタビライザに設けられた複数の排出孔を通じて、当該スタビライザと光ディスクとの間に形成される隙間から、空気を外部に排出することができるので、高速回転に伴って光ディスクが変形した場合に、当該光ディスクとスタビライザで挟まれた空間における空気の滞留を抑制することができるとともに、高速回転時の光ディスクの面ブレを抑制することができる。この結果、本発明の光ディス回転制御装置は、光ディスクにおける安定的な記録再生を実現することができる。
【００１６】
また、本発明のスタビライザは、複数の排出孔を通じて、光ディスクとの間に形成される隙間から、空気を外部に排出することができるので、高速回転に伴って光ディスクが変形した場合に、当該光ディスクとの間に形成される空間における空気の滞留を抑制することができるとともに、高速回転時の光ディスクの面ブレを抑制することができる。この結果、本発明のスタビライザは、光ディスクにおける安定的な記録再生を実現させることができる。
【図面の簡単な説明】
【００１７】
【図１】本発明に係る一実施形態の光ディスク記録再生装置の側面図であって光ディスクが実装された際の図である。
【図２】本発明に係る一実施形態のスタビライザの上面図である。
【図３】一実施形態における回転時の光ディスク周辺の空気流とベルヌーイ力の関係を説明するための模式図Ｉである。
【図４】一実施形態における回転時の光ディスク周辺の空気流とベルヌーイ力の関係を説明するための模式図ＩＩである。
【図５】従来のスタビライザの上面図である
【図６】光ディスクの面ぶれの発生原理を説明するための図である。
【図７】本発明の動作原理を説明するための図である。
【図８】一実施形態に基づく光ディスク記録再生装置のスタビライザモデルを示す断面図である。
【図９】従来技術に基づく光ディスク記録再生装置のスタビライザモデルを示す断面図である。
【図１０】一実施形態に基づくスタビライザモデルの光ディスクの変形に関する時間変化の解析結果を示す図である。
【図１１】従来技術に基づくスタビライザモデルの光ディスクの変形に関する時間変化の解析結果を示す図である。
【図１２】一実施形態において、スタビライザの流入孔の円周と排出孔の円周との間隔が１５ｍｍの場合における光ディスクの変形に関する時間変化の解析結果を示す図である。
【図１３】一実施形態において、スタビライザの流入孔の円周と排出孔の円周との間隔が２０ｍｍの場合における光ディスクの変形に関する時間変化の解析結果を示す図である。
【図１４】一実施形態において、スタビライザの流入孔の円周と排出孔の円周との間隔が２５ｍｍの場合における光ディスクの変形に関する時間変化の解析結果を示す図である。
【図１５】一実施形態において、スタビライザの流入孔の円周と排出孔の円周との間隔が３０ｍｍの場合における光ディスクの変形に関する時間変化の解析結果を示す図である。
【図１６】一実施形態において、スタビライザの流入孔の円周と排出孔の円周との間隔が３５ｍｍの場合における光ディスクの変形に関する時間変化の解析結果を示す図である。
【図１７】一実施形態において、スタビライザの排出孔の径が０．７５ｍｍの場合における光ディスクの変形に関する時間変化の解析結果を示す図である。
【図１８】一実施形態において、スタビライザの排出孔の径が０．６ｍｍの場合における光ディスクの変形に関する時間変化の解析結果を示す図である。
【図１９】一実施形態において、スタビライザの排出孔の径が０．５ｍｍの場合における光ディスクの変形に関する時間変化の解析結果を示す図である。
【図２０】一実施形態において、スタビライザの排出孔の径が０．４ｍｍの場合における光ディスクの変形に関する時間変化の解析結果を示す図である。
【図２１】本発明に係る光ディスク記録再生装置のスタビライザの変形例を示す図である。
【図２２】本発明に係る光ディスク記録再生装置の固定されたスタビライザの上面図の一例を示す図である。
【図２３】従来技術における光ディスク記録再生装置Ｉの断面図およびそれに搭載されるスタビライザの上面図である。
【図２４】従来技術における光ディスク記録再生装置ＩＩの断面図およびそれに搭載されるスタビライザの上面図である。
【発明を実施するための形態】
【００１８】
以下、本願の実施形態について、図面を参照しながら説明する。
【００１９】
なお、以下に説明する実施形態は、スタビライザを有する光ディスク記録再生装置に対して、本発明の光ディスク回転制御装置、光ディスク記録装置、光ディスク再生装置およびスタビライザを適用した場合の実施の形態である。
【００２０】
まず、図１および図２を用いて本実施形態の光ディスク記録再生装置の構成について説明する。なお、図１は、本実施形態の光ディスク記録再生装置の側面図であって光ディスクが実装された際の図であり、図２は、本実施形態のスタビライザの上面図である。
【００２１】
本実施形態の光ディスク記録再生装置１００は、図１に示すように、光ディスクＤを固定する固定部材１１０と、固定部材１１０とともに光ディスクＤを回転させるためのシャフト１２０と、スタビライザ１３０と、スタビライザ１３０と固定された光ディスクＤとの間に所定のスペースを形成させるためのスペーサ１４０と、を有している。
【００２２】
なお、本実施形態の光ディスクＤは、ポリカーボネート基板上に記録膜、反射膜、誘電膜などが成膜された構成であり、０より大きく、かつ、０．３ｍｍ以下の厚みを有し、可撓性を有している。
【００２３】
本実施形態の固定部材１１０は、光ディスクＤを回転可能にシャフト１２０に固定するようになっている。特に、本実施形態の固定部材１１０は、磁石やネジなどで構成されており、光ディスクＤのディスク面を上下方向から挟み込むように当該光ディスクＤを固定し、かつ、光ディスクＤがシャフト１２０を中心に回転するように固定するようになっている。
【００２４】
本実施形態のシャフト１２０は、図示しない回転機構に連結されており、回転機構の回転に伴って固定されている光ディスクＤを回転させるように構成されている。特に、シャフト１２０の軸は、光ディスクＤのディスク面の中心に配設されている。また、本実施形態のシャフト１２０には、スタビライザ１３０も回転可能に固定されている。
【００２５】
なお、シャフト１２０は、図示しない制御部の指示に基づいて制御される回転機構における回転数に伴って回転するようになっている。
【００２６】
本実施形態のスタビライザ１３０は、ディスク形状を有し、ガラスや金属など、剛性の高い材質で構成されており、空気の流体力を利用して光ディスクＤの回転時の面ブレを低減するための形状を有している。特に、本実施形態のスタビライザ１３０は、回転時における光ディスクＤの面ぶれを低減するように光ディスクＤの外径以上の外径にて形成されている。
【００２７】
また、本実施形態のスタビライザ１３０は、図２に示すように、光ディスクＤとの間に形成された隙間に空気を流入するため複数の流入孔１３１と、当該流入孔１３１より隙間に流入された空気を外部に排出するための複数の排出孔１３２と、シャフト１２０に固定するためのシャフト孔１３３と、を有している。
【００２８】
特に、各流入孔１３１は、シャフト１２０に固定された部分（固定面）１３４の近傍の円周上に等間隔に形成されている。また、各排出孔１３２は、流入孔１３１が設けられた円周と光ディスクＤの外周との間の中間付近の円周上に等間隔に形成されており、流入孔１３１と同一のピッチ角度にて形成されている。
【００２９】
本実施形態のスペーサ１４０は、シャフト１２０の所定の位置に設けられており、光ディスクＤが実装された際にスタビライザ１３０の上面と光ディスクＤの下面の間に所定の空間、すなわち、隙間が形成されるように構成されている。
【００３０】
なお、本実施形態の光ディスク記録再生装置１００は、光ディスクＤに所定のデータを記録する際には、当該制御部の指示に基づいて、入力された信号に所定の処理を施すとともに、記録再生ヘッド（図示しない）を介してレーザその他の光線により光ディスクＤにデータを記録するようになっている。
【００３１】
また、この光ディスクＤ再生装置は、光ディスクＤに記録されたデータを再生する際には、図示しない記録再生ヘッドから照射された所定のレーザその他の光線を用いて当該光ディスクＤに記録されたデータを読み取り、所定の処理を施して外部に出力するようになっている。
【００３２】
次に、図３〜図７を用いて本実施形態のスタビライザ１３０の動作原理について説明する。なお、図３および図４は、本実施形態における回転時の光ディスクＤ周辺の空気流とベルヌーイ力の関係を説明するための模式図であり、図５は、従来のスタビライザ１３０の上面図である。また、図６は、従来のディスクの面ぶれの発生原理を説明するための図であり、図７は、本発明の動作原理を説明するための図である。
【００３３】
光ディスクＤとともにスタビライザ１３０が回転すると、光ディスクＤの回転に伴う遠心力より、当該光ディスクＤ周辺には、当該光ディスクＤの中心から半径方向、すなわち、シャフト１２０から光ディスクＤの外周方向に向かって空気流が発生する。
【００３４】
このとき、光ディスクＤの下面に発生する空気流は、光ディスクＤとスタビライザ１３０によって当該空気流が妨げられるため、光ディスクＤの上面に発生する空気流に比べて、その速度が遅くなる。また、基本的には、ベルヌーイ力は、空気流の流速の２乗に比例するため、本実施形態においては、光ディスクＤの下面が受けるベルヌーイ力が、その上面が受けるベルヌーイ力よりも小さくなる。したがって、図４に示すように、スタビライザ１３０と光ディスクＤ間の隙間が狭くなる方向に、光ディスクＤが変形することとなる。
【００３５】
特に、本実施形態の光ディスクＤは、光ディスクＤ自体の弾性力および重力と、光ディスクＤの上面および下面に発生するベルヌーイ力の差分と、が釣り合うまで変形を続け、その形状は、これらの力が釣り合った状態で安定する。
【００３６】
しかしながら、特許文献１などに記載の光ディスク記録再生装置は、図５に示すように、スタビライザ１０に流入孔１１が当該スタビライザ１０の固定部分１２の近傍の円周上に等間隔に形成されているものの、当該流入孔１１によってスタビライザ１０と光ディスクＤとの間に形成された隙間に流入された空気を排出するための排出孔が形成されていない。
【００３７】
したがって、光ディスクＤの上面および下面に発生するベルヌーイ力の差分と、に基づいて光ディスクＤが変形した際に、光ディスクＤとスタビライザ１３０との間に形成された隙間における空気の流れが悪くなり、流入孔１３１が形成された円周と光ディスクＤの外周との中間付近にて流入した空気が滞留してしまう。
【００３８】
特に、高速回転時に光ディスクＤの上面および下面に発生するベルヌーイ力の差分が大きくなると、光ディスクＤの形状変化も著しいため、滞留する空気量も多くなる。その結果、この空気の滞留に基づいて光ディスクＤの面ブレが発生し、光ディスクＤの変形形状が不安定になる。
【００３９】
一方、上述したように、本実施形態のスタビライザ１３０には、複数の排出孔１３２が形成されているため、当該空気孔を通じて、隙間に流入した空気が外部に排気されるので、従来の光ディスク記録再生装置１００において生じていた空気の滞留は、ほとんど発生しない。したがって、当該空気の滞留に伴って発生する光ディスクＤの面ブレも発生せずに、光ディスクＤにおける変形形状も安定的になる。
【００４０】
したがって、本実施形態の光ディスク記録再生装置１００は、高速回転に伴って光ディスクＤが変形した場合に、当該光ディスクＤとスタビライザ１３０で挟まれた空間における空気の滞留を抑制することができるとともに、高速回転時の光ディスクＤの面ブレを抑制することができるので、光ディスクＤを高速回転させた場合であっても光ディスクＤにおける安定的な記録再生を実現することができるようになっている。
【００４１】
次に、図８〜図１１を用いて本実施形態の光ディスク記録再生装置１００と従来の光ディスク記録再生装置１００における光ディスクＤの変形に関する時間変化の解析結果について説明する。
【００４２】
この解析では、有限要素法の流体−構造連成解析により、ディスク変形の時間変化を解析しており、図８に示す本実施形態に基づく光ディスク記録再生装置（スタビライザ）モデル（以下、「モデル１」とおいう。）と、図９に示す従来技術の特許文献１に基づく光ディスクＤの記録再生装置（スタビライザ）モデル（以下、「モデル２」という。）にて、光ディスクＤの変形に関する時間変化を求めている。なお、表１に解析条件を示す。
【００４３】
また、図１０は、１００００ｒｐｍの回転数におけるモデル１の光ディスクＤの変形に関する時間変化の解析結果を示す図であり、図１１は、１００００ｒｐｍの回転数におけるモデル２の光ディスクＤの変形に関する時間変化の解析結果を示す図である。
【００４４】
【表１】
2011003225.tif 000003
図１０に示されるように、モデル２は、回転開始から約２．５×１０−３秒後に、光ディスクＤが短い周期で「ぶれ」始め、そのぶれ幅は時間の経過と共に拡大している。その一方で、モデル１は、図１１に示されるように、モデル２にて出現した「ぶれ」は発生せずに、回転開始から約６×１０−３秒後に平衡状態に達し、その光ディスクＤの形状が安定している。
【００４５】
このように、本実施形態の光ディスク記録再生装置１００は、光ディスクＤを高速回転させた場合であっても光ディスクＤにおける安定的な記録再生を実現することができるようになっている。
【００４６】
次に、図１２〜図１６を用いて本実施形態の光ディスク記録再生装置１００におけるスタビライザ１３０の排出孔１３２の配設位置をパラメータとした場合の光ディスクＤの変形に関する時間変化の解析結果について説明する。
【００４７】
なお、この解析では、上述と同様に、有限要素法の流体−構造連成解析により、ディスク変形の時間変化を解析しており、図１２〜図１６は、流入孔１３１の円周と排出孔１３２の円周との間隔を１５ｍｍから３５ｍｍまで、５ｍｍステップで変化させた場合の薄型光ディスクＤの変形の時間変化の解析結果を示す図である。また、これらの解析結果においては、排出孔１３２の径は、０．５ｍｍにて統一してある。
【００４８】
これらの解析結果において、流入孔１３１の円周と排出孔１３２の円周との間隔が２０ｍｍと２５ｍｍの場合では、光ディスクＤは、その形状が平衡状態に達して安定するのに対して、当該間隔が１５ｍｍ、３０ｍｍ、３５ｍｍの場合では、光ディスクＤは、比較的長い周期にて面ぶれが発生し、その変形形状が安定していない。
【００４９】
すなわち、これらの解析結果は、排出孔１３２が、スタビライザ１３０における流入孔１３１が形成された円周と、光ディスクＤの外周と、の中間付近の円周上に形成されることが重要であることを示している。言い換えれば、排出孔１３２が、スタビライザ１３０における流入孔１３１が形成された円周と、光ディスクＤの外周と、の中間付近の円周上に形成された場合に、光ディスクＤとスタビライザ１３０との隙間に滞留すべき空気の領域（滞留領域）が接近するので、当該隙間に滞留すべき空気が滞留せずに効率よく外部に排気され、ディスクの面ぶれが抑制されていることを示している。
【００５０】
次に、図１７〜図２０を用いて本実施形態の光ディスク記録再生装置１００におけるスタビライザ１３０の排出孔１３２の径を変化させた場合の光ディスクＤの変形に関する時間変化の解析結果について説明する。
【００５１】
なお、この解析では、上述と同様に、有限要素法の流体−構造連成解析により、ディスク変形の時間変化を解析しており、図１７〜図２０は、本実施形態の光ディスク記録再生装置１００における排出孔１３２の径を、０．７５ｍｍ、０．６ｍｍ、０．５ｍｍ、０．４ｍｍとした場合の光ディスクＤの変形に関する時間変化の解析結果である。また、これらの解析において、流入孔１３１の円周と排出孔１３２の円周との間隔を２５ｍｍに統一してある。
【００５２】
これらの解析結果からは、排出孔１３２の径が０．６ｍｍ以上の場合には、光ディスクＤが「ぶれ」、その変形形状は、平衡状態に達しないことがわかる。すなわち、排出孔１３２のサイズが大きい場合には、当該排出孔１３２により、光ディスクＤの上下のベルヌーイ力の差分が強く打ち消されるので、光ディスクＤの「ぶれ」が拡大することが示される。
【００５３】
以上本実施形態の光ディスク記録再生装置１００は、スタビライザ１３０に設けられた複数の排出孔１３２を通じて、当該スタビライザ１３０と光ディスクＤとの間に形成される隙間から、空気を外部に排出することができるので、高速回転に伴って光ディスクＤが変形した場合に、当該光ディスクＤとスタビライザ１３０で挟まれた空間における空気の滞留を抑制することができるとともに、高速回転時の光ディスクＤの面ブレを抑制することができる。
【００５４】
したがって、本実施形態の光ディスク記録再生装置１００は、光ディスクＤを高速回転させた場合であっても光ディスクＤにおける安定的な記録再生を実現することができる。
【００５５】
なお、本実施形態のスタビライザ１３０に形成される流入孔１３１および排出孔１３２は、円形状を有しているが、勿論、楕円状、正方状、矩形状など、他の形状であってもよい。
【００５６】
また、本実施形態のスタビライザ１３０において、流入孔１３１と排出孔１３２の円周上の配設されている角度位置が揃っているが、図２１に示すように、当該角度位置がずれていてもよい。ただし、このとき、光ディスクＤの変形が円周方向でぶれないために、流入孔１３１のピッチ角度と、空気逃げ穴３のピッチ角度とを一致させる必要がある。ただし、図２１は、本発明に係る光ディスク記録再生装置１００のスタビライザ１３０の変形例を示す図である。
【００５７】
また、本実施形態において、本実施形態の光ディスク記録再生装置１００は、光ディスクＤとスタビライザ１３０とを共に回転可能に固定しているが、型光ディスクＤのみが回転し、スタビライザ１３０が固定された状態で動作してもよい。特に、図２２に固定されたスタビライザ１３０（以下、「固定スタビライザ１３０」という。）の一例の上面図を示す。この固定スタビライザ１３０には、中心部分にシャフト１２０の外径よりも径の大きな流入孔１３１が形成されている。そして、光ディスクＤが回転する際には、シャフト１２０と流入孔１３１の隙間（図１３に示す斜線で記した領域）から、空気が流入するようになっている。
【符号の説明】
【００５８】
Ｄ  …  光ディスク
１００  …  光ディスク記録再生装置
１１０  …固定部材
１２０  …シャフト
１３０  …  スタビライザ
１３１  …  流入光
１３２  …  排出孔
１３３  …  シャフト孔
１４０  …  スペーサ
【図１】
2011003225.tif 000004
【図２】
2011003225.tif 000005
【図３】
2011003225.tif 000006
【図４】
2011003225.tif 000007
【図５】
2011003225.tif 000008
【図６】
2011003225.tif 000009
【図７】
2011003225.tif 000010
【図８】
2011003225.tif 000011
【図９】
2011003225.tif 000012
【図１０】
2011003225.tif 000013
【図１１】
2011003225.tif 000014
【図１２】
2011003225.tif 000015
【図１３】
2011003225.tif 000016
【図１４】
2011003225.tif 000017
【図１５】
2011003225.tif 000018
【図１６】
2011003225.tif 000019
【図１７】
2011003225.tif 000020
【図１８】
2011003225.tif 000021
【図１９】
2011003225.tif 000022
【図２０】
2011003225.tif 000023
【図２１】
2011003225.tif 000024
【図２２】
2011003225.tif 000025
【図２３】
2011003225.tif 000026
【図２４】
2011003225.tif 000027